(57)【要約】【課題】アスベストの呈色を指標とした、簡便なアスベスト検出方法を実現する。【解決手段】本発明は、アスベストの呈色を指標とした、簡便なアスベスト検出方法を実現する。本発明に係るアスベスト検出剤は、下記式（Ｉ）、式（ＩＩ）、式（ＩＩＩ）、式（ＩＶ）および式（Ｖ）によって示される化合物の塩からなる群から選択される何れか１つ以上の発色剤を含む。【化１】2020165973.tif 000028【選択図】図１
2020165973.tif 000002
【特許請求の範囲】
【請求項１】
下記式（Ｉ）、下記式（ＩＩ）、下記式（ＩＩＩ）、下記式（ＩＶ）および下記式（Ｖ）によって示される化合物の塩からなる群から選択される何れか１つ以上を含む、アスベスト検出剤；
【化１】
2020165973.tif 000023
［式（Ｉ）中、Ｒ１からＲ３はそれぞれ独立に、水素、アルキル基またはヒドロキシアルキル基である］、
【化２】
2020165973.tif 000024
［式（ＩＩ）中、Ｒ１からＲ４はそれぞれ独立に、水素、アルキル基、ヒドロキシアルキル基またはイミノ基である］、
【化３】
2020165973.tif 000025
［式（ＩＩＩ）中、Ｒ１からＲ８はそれぞれ独立に、水素、アルキル基、アミノ基、ヒドロキシアルキル基またはアルコキシ基である］、
【化４】
2020165973.tif 000026
［式（ＩＶ）中、Ｒ１からＲ８はそれぞれ独立に、水素、アルキル基、アミノ基、ヒドロキシアルキル基またはアルコキシ基である］、
【化５】
2020165973.tif 000027
［式（Ｖ）中、Ｒ１からＲ５はそれぞれ独立に、水素、アルキル基またはヒドロキシアルキル基またはアルキル基である］。
【請求項２】
前記式（Ｉ）によって示される化合物は、前記式（Ｉ）中、Ｒ１からＲ３はそれぞれ独立に、水素、炭素数４以下のアルキル基または炭素数２以下のヒドロキシアルキル基であり、
前記式（ＩＩ）によって示される化合物は、前記式（ＩＩ）中、Ｒ１からＲ４はそれぞれ独立に、水素、炭素数４以下のアルキル基、炭素数２以下のヒドロキシアルキル基またはイミノ基であり、
前記式（ＩＩＩ）によって示される化合物は、前記式（ＩＩＩ）中、Ｒ１からＲ８はそれぞれ独立に、水素、炭素数４以下のアルキル基、アミノ基、炭素数２以下のヒドロキシアルキル基または炭素数２以下のアルコキシ基であり、
前記式（ＩＶ）によって示される化合物は、前記式（ＩＶ）中、Ｒ１からＲ８はそれぞれ独立に、水素、炭素数４以下のアルキル基、アミノ基、炭素数２以下のヒドロキシアルキル基または炭素数２以下のアルコキシ基であり、
前記式（Ｖ）によって示される化合物は、前記式（Ｖ）中、Ｒ１からＲ５はそれぞれ独立に、水素、炭素数４以下のアルキル基または炭素数２以下のヒドロキシアルキル基である、請求項１に記載のアスベスト検出剤。
【請求項３】
前記式（Ｉ）によって示される化合物は、前記式（Ｉ）中、Ｒ１からＲ３はそれぞれ独立に、水素、直鎖アルキル基またはヒドロキシアルキル基であり、
前記式（ＩＩ）によって示される化合物は、前記式（ＩＩ）中、Ｒ１からＲ４はそれぞれ独立に、水素、直鎖アルキル基、ヒドロキシアルキル基またはイミノ基であり、
前記式（ＩＩＩ）によって示される化合物は、前記式（ＩＩＩ）中、Ｒ１からＲ８はそれぞれ独立に、水素、直鎖アルキル基、アミノ基、ヒドロキシアルキル基またはアルコキシ基であり、
前記式（ＩＶ）によって示される化合物は、前記式（ＩＶ）中、Ｒ１からＲ８はそれぞれ独立に、水素、直鎖アルキル基、アミノ基、ヒドロキシアルキル基またはアルコキシ基であり、
前記式（Ｖ）によって示される化合物は、前記式（Ｖ）中、Ｒ１からＲ５はそれぞれ独立に、水素、直鎖アルキル基またはヒドロキシアルキル基である、請求項１または２に記載のアスベスト検出剤。
【請求項４】
請求項１から３の何れか１項に記載のアスベスト検出剤を含む、アスベスト検出キット。
【請求項５】
請求項１から３の何れか１項に記載のアスベスト検出剤と、被験物質とを接触する工程と、
前記アスベスト検出剤が発色したか否かを判定する工程と、を含む、アスベスト検出方法。
【発明の詳細な説明】
【技術分野】
【０００１】
本発明は、アスベストを簡便に検出するためのアスベスト検出剤および該アスベスト検出剤を含むアスベスト検出キットに関する。また、本発明は、アスベストの簡便な検出方法に関する。
【背景技術】
【０００２】
アスベスト（別名：石綿）は天然鉱物繊維であり、熱および摩擦に強く、安価であることから建材、船舶、および鉄道車両等の多くの産業資材に用いられてきた。しかしながら、アスベストはその特性から大気中へ飛散しやすく、飛散したアスベストを吸入することで肺がんおよび中皮腫といった疾患の原因となることが明らかとなっている。そのため日本では、１９７５年頃からアスベストの使用に関する規制が強化され、２００４年にはアスベストは原則使用禁止となった。なお、ここでいうアスベストとは、国際労働機関（ＩＬＯ）によって定義される蛇紋石または角閃石グループに属する繊維状の無機けい酸塩鉱物を示す。
【０００３】
現在、アスベストを使用した建造物等を解体または除去する際には、大気汚染防止法および石綿障害予防規則等の法令により、解体工事の届出およびアスベスト有無についての事前調査の実施等が義務付けられている。
【０００４】
しかしながら、石綿除去作業時のアスベスト飛散事例および自然災害発生現場でのアスベスト飛散事例等が未だに報告されている。このような飛散事例が発生した場合、現場作業員の安全性の確保およびアスベストの周囲への飛散を未然に防止するために、建材等に含まれるアスベストを即座に調査する方法が必要となる。
【０００５】
前記のような背景の下、これまでにもアスベスト検出方法は開発されており、例えば特許文献１には、アスベストに含まれるマグネシウムイオンの呈色を指標としたアスベスト検出方法が開示されている。
【０００６】
ところで、アニリン骨格を有するジエチルパラフェニレンジアミンは、従来、生活排水中に含まれる残留塩素の有無を判定するために用いることが知られている（例えば、特許文献２）。
【先行技術文献】
【特許文献】
【０００７】
【特許文献１】日本国公開特許公報「特開２０１０−７８３９９号」
【特許文献２】日本国公開特許公報「特開２００４−８５４５３号」
【発明の概要】
【発明が解決しようとする課題】
【０００８】
特許文献１に開示された方法は、該方法は建材等からマグネシウムイオンを抽出および精製するために、濾過および洗浄といった前処理工程が必要となり、操作が煩雑であるとともに、アスベスト検出に要する時間が長いという問題点がある。
【０００９】
上述の問題点を解決するために、本発明の一態様は、アスベストの呈色を指標とした、簡便なアスベスト検出方法等を実現することを目的とする。
【課題を解決するための手段】
【００１０】
前記の課題を解決するために、本発明の一態様に係るアスベスト検出剤は、下記式（Ｉ）、下記式（ＩＩ）、下記式（ＩＩＩ）、下記式（ＩＶ）および下記式（Ｖ）によって示される化合物の塩からなる群から選択される何れか１つ以上を含む；
【００１１】
【化１】
2020165973.tif 000003
【００１２】
［式（Ｉ）中、Ｒ１からＲ３はそれぞれ独立に、水素、アルキル基またはヒドロキシアルキル基である］、
【００１３】
【化２】
2020165973.tif 000004
【００１４】
［式（ＩＩ）中、Ｒ１からＲ４はそれぞれ独立に、水素、アルキル基、ヒドロキシアルキル基またはイミノ基である］、
【００１５】
【化３】
2020165973.tif 000005
【００１６】
［式（ＩＩＩ）中、Ｒ１からＲ８はそれぞれ独立に、水素、アルキル基、アミノ基、ヒドロキシアルキル基またはアルコキシ基である］、
【００１７】
【化４】
2020165973.tif 000006
【００１８】
［式（ＩＶ）中、Ｒ１からＲ８はそれぞれ独立に、水素、アルキル基、アミノ基、ヒドロキシアルキル基またはアルコキシ基である］。
【００１９】
【化５】
2020165973.tif 000007
【００２０】
［式（Ｖ）中、Ｒ１からＲ５はそれぞれ独立に、水素、アルキル基またはヒドロキシアルキル基である］。
【００２１】
本発明の一態様に係るアスベスト検出剤は、前記式（Ｉ）によって示される化合物は、前記式（Ｉ）中、Ｒ１からＲ３はそれぞれ独立に、水素、炭素数４以下のアルキル基または炭素数２以下のヒドロキシアルキル基であり、前記式（ＩＩ）によって示される化合物は、前記式（ＩＩ）中、Ｒ１からＲ４はそれぞれ独立に、水素、炭素数４以下のアルキル基、炭素数２以下のヒドロキシアルキル基またはイミノ基であり、前記式（ＩＩＩ）によって示される化合物は、前記式（ＩＩＩ）中、Ｒ１からＲ８はそれぞれ独立に、水素、炭素数４以下のアルキル基、アミノ基、炭素数２以下のヒドロキシアルキル基または炭素数２以下のアルコキシ基であり、前記式（ＩＶ）によって示される化合物は、前記式（ＩＶ）中、Ｒ１からＲ８はそれぞれ独立に、水素、炭素数４以下のアルキル基、アミノ基、炭素数２以下のヒドロキシアルキル基または炭素数２以下のアルコキシ基であり、前記式（Ｖ）によって示される化合物は、前記式（Ｖ）中、Ｒ１からＲ５はそれぞれ独立に、水素、炭素数４以下のアルキル基または炭素数２以下のヒドロキシアルキル基であってもよい。
【００２２】
本発明の一態様に係るアスベスト検出剤は、前記式（Ｉ）によって示される化合物は、前記式（Ｉ）中、Ｒ１からＲ３はそれぞれ独立に、水素、直鎖アルキル基またはヒドロキシアルキル基であり、前記式（ＩＩ）によって示される化合物は、前記式（ＩＩ）中、Ｒ１からＲ４はそれぞれ独立に、水素、直鎖アルキル基、ヒドロキシアルキル基またはイミノ基であり、前記式（ＩＩＩ）によって示される化合物は、前記式（ＩＩＩ）中、Ｒ１からＲ８はそれぞれ独立に、水素、直鎖アルキル基、アミノ基、ヒドロキシアルキル基またはアルコキシ基であり、前記式（ＩＶ）によって示される化合物は、前記式（ＩＶ）中、Ｒ１からＲ８はそれぞれ独立に、水素、直鎖アルキル基、アミノ基、ヒドロキシアルキル基またはアルコキシ基であり、前記式（Ｖ）によって示される化合物は、前記式（Ｖ）中、Ｒ１からＲ５はそれぞれ独立に、水素、直鎖アルキル基またはヒドロキシアルキル基であってもよい。
【００２３】
前記の課題を解決するために、本発明の一態様に係るアスベスト検出キットは、前記のいずれかの態様に係るアスベスト検出剤を含む。
【００２４】
前記の課題を解決するために、本発明の一態様に係るアスベスト検出方法は、前記のいずれかの態様に係るアスベスト検出剤と、被験物質とを接触する工程と、前記アスベスト検出剤が発色したか否かを判定する工程と、を含む。
【発明の効果】
【００２５】
本発明の一態様によれば、呈色によってアスベストを検出することができる、簡便なアスベスト検出方法等を実現できる。
【図面の簡単な説明】
【００２６】
【図１】本発明の一実施形態に係るアスベスト検出剤の発色を示す図である。
【図２】本発明の一実施例および比較例に係るアスベスト検出剤の組成を示す図である。
【図３】本発明の一実施例および比較例に係るアスベスト検出方法による判定結果を示す図である。
【図４】本発明の一実施例に係るアスベスト検出剤の組成を示す図である。
【図５】本発明の一実施例に係るアスベスト検出剤の組成を示す図である。
【図６】本発明の比較例に係るアスベスト検出剤の組成を示す図である。
【図７】本発明の一実施例に係るアスベスト検出方法による判定結果を示す図である。
【図８】本発明の比較例に係るアスベスト検出方法による判定結果を示す図である。
【図９】本発明の一実施例に係るアスベスト検出剤の組成を示す図である。
【図１０】本発明の一実施例および比較例に係るアスベスト検出剤の組成を示す図である。
【図１１】本発明の一実施例および比較例に係るアスベスト検出方法による判定結果を示す図である。
【図１２】本発明の一実施例に係るアスベスト検出剤の組成を示す図である。
【図１３】本発明の一実施例および比較例に係るアスベスト検出剤の組成を示す図である。
【図１４】本発明の一実施例および比較例に係るアスベスト検出方法による判定結果を示す図である。
【図１５】本発明の一実施例に係るアスベスト検出剤の組成を示す図である。
【図１６】本発明の一実施例に係るアスベスト検出方法による判定結果を示す図である。
【図１７】本発明の一実施例に係るアスベスト検出剤の組成を示す図である。
【図１８】本発明の一実施例および比較例に係るアスベスト検出剤の組成を示す図である。
【図１９】本発明の一実施例および比較例に係るアスベスト検出方法による判定結果を示す図である。
【図２０】本発明の一実施例および比較例に係るアスベスト検出剤の組成を示す図である。
【図２１】本発明の一実施例および比較例に係るアスベスト検出方法による判定結果を示す図である。
【発明を実施するための形態】
【００２７】
本発明の一実施形態について、図１を参照して以下に説明する。
【００２８】
〔１．アスベスト検出剤〕
本実施形態に係るアスベスト検出剤は、少なくとも下記に示す発色剤を含むものであればよいが、さらにキレート剤、有機溶媒およびｐＨ緩衝剤を含んでいてもよい。後述するように、アスベスト検出剤とアスベストを含む被験物質とを接触させ、アスベスト検出剤の発色の有無を確認することによって被験物質中のアスベストの有無を判定できる。
【００２９】
なお、該アスベスト検出剤の状態は、水等の適当な溶媒等に発色剤等を溶解した溶液状であっても、溶媒に溶解する前の固体混合物の状態であってもよい。
【００３０】
（発色剤）
本実施形態に係る発色剤は、下記式（ＶＩ）によって示される化合物の塩からなる群から選択される何れか１つ以上の発色剤である；
【００３１】
【化６】
2020165973.tif 000008
【００３２】
［式（ＶＩ）中、Ｒ１からＲ７はそれぞれ独立に、水素、アミノ基、ヒドロキシ基、または有機基である］。
【００３３】
本実施形態に係る発色剤はアニリン骨格を有しており、アスベストとの接触によって発色する性質を有する。したがって、これらの発色剤を含むアスベスト検出剤によれば、建材等の被験物質にアスベストが含まれているか否かを判定する際に有用である。以下、建材等の被験物質にアスベストが含まれているか否かを判定することを「アスベスト検出」と称する。
【００３４】
なお、上述のようなアニリン骨格を有する発色剤として、従来、ジエチルパラフェニレンジアミンが生活排水中に含まれる残留塩素の有無を判定するために用いられていた（例えば、特許文献２）。しかしながら、アニリン骨格を有する発色剤が、アスベストとは反応するものの、アスベストの代替物（例えば、ロックウール）とは反応しない、アスベスト選択性に優れた発色剤であることは、従来知られていなかった新たな知見である。本発明の発明者らは鋭意研究の結果、アニリン骨格を有する発色剤が、アスベスト検出に有用であることを独自に発見し、本発明の完成に至ったものである。
【００３５】
本実施形態に係る発色剤は、分子構造内に第１級アミン、第２級アミンまたは第３級アミンを少なくとも１官能基以上有している芳香族化合物を含む。前記式（ＶＩ）中におけるＲ１からＲ７はそれぞれ独立に、水素、アミノ基、ヒドロキシ基または有機基である。Ｒ１からＲ７における有機基としては、例えば、アルキル基、ヒドロキシアルキル基、アルコキシ基、アルキルアミノ基およびアニリノ基等が挙げられる。Ｒ１からＲ７におけるアルキル基は、炭素数４以下であることが好ましい。Ｒ１からＲ７におけるアルキル基の炭素数はそれぞれ独立に、４以下であってもよく、３以下であってもよく、２以下であってもよく、１であってもよい。
【００３６】
また、Ｒ１からＲ７におけるアルキル基は直鎖アルキル基であってもよく、分岐鎖アルキル基であってもよい。直鎖アルキル基としては、例えばメチル基、エチル基、ｎ−プロピル基、およびｎ−ブチル基等が挙げられるが、これに限定されるものではない。また、分岐鎖アルキル基としては例えば、ｉｓｏ−プロピル基、ｓｅｃ−ブチル基、ｉｓｏ−ブチル基、ｔｅｒｔ−ブチル基等が挙げられるが、これに限定されるものではない。
【００３７】
また、Ｒ１からＲ７におけるヒドロキシアルキル基は、炭素数２以下であることが好ましい。Ｒ１からＲ７におけるヒドロキシアルキル基の炭素数はそれぞれ独立に、２以下であってもよく、１であってもよい。Ｒ１からＲ７におけるヒドロキシアルキル基は、例えば、ヒドロキシメチル基およびヒドロキシエチル基等が挙げられるが、これに限定されるものではない。
【００３８】
また、Ｒ１からＲ７におけるアルコキシ基は、炭素数２以下であることが好ましい。Ｒ１からＲ７におけるアルコキシ基の炭素数はそれぞれ独立に、２以下であってもよく、１であってもよい。Ｒ１からＲ７におけるアルコキシ基としては、例えばメトキシ基およびエトキシ基等が挙げられるが、これに限定されるものではない。
【００３９】
また、Ｒ１からＲ７におけるアルキルアミノ基は、炭素数２以下であることが好ましい。Ｒ１からＲ７におけるアルキルアミノ基の炭素数はそれぞれ独立に、２以下であってもよく、１であってもよい。Ｒ１からＲ７におけるアルキルアミノ基は、例えば、メチルアミノ基、ジメチルアミノ基、エチルアミノ基およびジエチルアミノ基等が挙げられるが、これに限定されるものではない。
【００４０】
より具体的には、本実施形態に係る発色剤は、下記式（Ｉ）、下記式（ＩＩ）、下記式（ＩＩＩ）、下記式（ＩＶ）および下記式（Ｖ）によって示される化合物の塩からなる群から選択される何れか１つ以上の発色剤である；
【００４１】
【化７】
2020165973.tif 000009
【００４２】
［式（Ｉ）中、Ｒ１からＲ３はそれぞれ独立に、水素、アルキル基またはヒドロキシアルキル基である］、
【００４３】
【化８】
2020165973.tif 000010
【００４４】
［式（ＩＩ）中、Ｒ１からＲ４はそれぞれ独立に、水素、アルキル基、ヒドロキシアルキル基またはイミノ基である］、
【００４５】
【化９】
2020165973.tif 000011
【００４６】
［式（ＩＩＩ）中、Ｒ１からＲ８はそれぞれ独立に、水素、アルキル基、アミノ基、ヒドロキシアルキル基またはアルコキシ基である］、
【００４７】
【化１０】
2020165973.tif 000012
【００４８】
［式（ＩＶ）中、Ｒ１からＲ８はそれぞれ独立に、水素、アルキル基、アミノ基、ヒドロキシアルキル基またはアルコキシ基である］、
【００４９】
【化１１】
2020165973.tif 000013
【００５０】
［式（Ｖ）中、Ｒ１からＲ５はそれぞれ独立に、水素、アルキル基またはヒドロキシアルキル基である］。
【００５１】
ここで、前記式（Ｉ）中におけるＲ１からＲ３はそれぞれ独立に、水素、アルキル基またはヒドロキシアルキル基である。Ｒ１からＲ３におけるアルキル基は、炭素数４以下であることが好ましい。Ｒ１からＲ３におけるアルキル基の炭素数はそれぞれ独立に、４以下であってもよく、３以下であってもよく、２以下であってもよく、１であってもよい。
【００５２】
また、Ｒ１からＲ３におけるアルキル基は直鎖アルキル基であってもよく、分岐鎖アルキル基であってもよい。直鎖アルキル基としては、例えばメチル基、エチル基、ｎ−プロピル基、およびｎ−ブチル基等が挙げられるが、これに限定されるものではない。また、分岐鎖アルキル基としては例えば、ｉｓｏ−プロピル基、ｓｅｃ−ブチル基、ｉｓｏ−ブチル基、ｔｅｒｔ−ブチル基等が挙げられるが、これに限定されるものではない。
【００５３】
また、Ｒ１からＲ３におけるヒドロキシアルキル基は、炭素数２以下であることが好ましい。Ｒ１からＲ３におけるヒドロキシアルキル基の炭素数はそれぞれ独立に、２以下であってもよく、１であってもよい。Ｒ１からＲ３におけるヒドロキシアルキル基は、例えば、ヒドロキシメチル基およびヒドロキシエチル基等が挙げられるが、これに限定されるものではない。
【００５４】
上記式（Ｉ）により表される化合物としては、例えばパラアニシジン（４−メトキシアニリン）、パラフェネチジン（４−エトキシアニリン）、Ｎ−メチル−４−メトキシアニリン、Ｎ−メチル−４−エトキシアニリン、Ｎ−エチル−４−メトキシアニリン、Ｎ−エチル−４−エトキシアニリン、Ｎ，Ｎ−ジメチル−４−メトキシアニリン、Ｎ，Ｎ−ジメチル−４−エトキシアニリン、Ｎ，Ｎ−ジエチル−４−メトキシアニリン、Ｎ，Ｎ−ジエチル−４−エトキシアニリン、４−ヒドロキシ−Ｎ−メチルアニリン、４−ヒドロキシ−Ｎ−エチルアニリン、４−ヒドロキシ−Ｎ，Ｎ−ジメチルアニリン、４−ヒドロキシ−Ｎ，Ｎ−ジエチルアニリン、４−アミノフェノキシエタノール、Ｎ，Ｎ−ビス（β−ヒドロキシメチル）−４−メトキシアニリン、Ｎ，Ｎ−ビス（β−ヒドロキシエチル）−４−メトキシアニリン、Ｎ，Ｎ−ビス（β−ヒドロキシメチル）−４−エトキシアニリン、Ｎ，Ｎ−ビス（β−ヒドロキシエチル）−４−エトキシアニリン、Ｎ−ヒドロキシエチル−４−メトキシアニリン、Ｎ−ヒドロキシメチル−４−メトキシアニリン、Ｎ−ヒドロキシエチル−４−エトキシアニリンおよびＮ−ヒドロキシメチル−４−エトキシアニリン等が挙げられ、この中でもパラアニシジンであることが好ましいが、これに限定されるものではない。
【００５５】
また、前記式（ＩＩ）中におけるＲ１からＲ４はそれぞれ独立に、水素、アルキル基、ヒドロキシアルキル基またはイミノ基である。Ｒ１からＲ４におけるアルキル基は、炭素数４以下であることが好ましい。Ｒ１からＲ４におけるアルキル基の炭素数はそれぞれ独立に、４以下であってもよく、３以下であってもよく、２以下であってもよく、１であってもよい。また、Ｒ１からＲ４におけるヒドロキシアルキル基は、炭素数２以下であることが好ましい。Ｒ１からＲ４におけるヒドロキシアルキル基の炭素数はそれぞれ独立に、２以下であってもよく、１であってもよい。Ｒ１からＲ４におけるヒドロキシアルキル基は、例えば、ヒドロキシメチル基およびヒドロキシエチル基等が挙げられるが、これに限定されるものではない。
【００５６】
また、Ｒ１からＲ４におけるアルキル基は直鎖アルキル基であってもよく、分岐鎖アルキル基であってもよい。直鎖アルキル基としては、例えばメチル基、エチル基、ｎ−プロピル基、およびｎ−ブチル基等が挙げられるが、これに限定されるものではない。また、分岐鎖アルキル基としては例えば、ｉｓｏ−プロピル基、ｓｅｃ−ブチル基、ｉｓｏ−ブチル基、ｔｅｒｔ−ブチル基等が挙げられるが、これに限定されるものではない。
【００５７】
前記式（ＩＩ）により表される化合物としては、例えばパラフェニレンジアミン、Ｎ，Ｎ−ジエチルパラフェニレンジアミン、Ｎ，Ｎ−ビス（β−ヒドロキシエチル）−ｐ−フェニレンジアミン、Ｎ，Ｎ，Ｎ，Ｎ−テトラメチル−１，４−パラフェニレンジアミン、Ｎ，Ｎ，Ｎ，Ｎ−テトラエチル−１，４−フェニレンジアミン、Ｎ，Ｎ−ジメチルパラフェニレンジアミン、Ｎ，Ｎ−ジプロピルフェニレンジアミン、２−メトキシ−１，４−パラフェニレンジアミン、２−エトキシ−１，４−フェニレンジアミン、Ｎ，Ｎ−ビス（β−ヒドロキシエチル）−Ｎ，Ｎ−ジエチルパラフェニレンジアミン、Ｎ，Ｎ−ビス（β−ヒドロキシエチル）−Ｎ，Ｎ−ジメチルパラフェニレンジアミン、Ｎ，Ｎ−ビス（β−ヒドロキシメチル）−Ｎ，Ｎ−ジエチルパラフェニレンジアミン、Ｎ，Ｎ−ビス（β−ヒドロキシメチル）−Ｎ，Ｎ−ジメチルパラフェニレンジアミン、Ｎ，Ｎ，Ｎ，Ｎ−テトラキス（β−ヒドロキシエチル）−１，４−フェニレンジアミン、Ｎ，Ｎ，Ｎ，Ｎ−テトラキス（β−ヒドロキシメチル）−１，４−フェニレンジアミン、４−アミノ−Ｎ−メチルアニリン、４−アミノ−Ｎ−エチルアニリン、４−アミノ−２−メトキシ−Ｎ−メチルアニリン、４−アミノ−２−エトキシ−Ｎ−メチルアニリン、４−アミノ−２−メトキシ−Ｎ−エチルアニリンおよび４−アミノ−２−エトキシ−Ｎ−エチルアニリン等が挙げられ、この中でもＮ，Ｎ−ジエチルパラフェニレンジアミン、Ｎ，Ｎ−ビス（β−ヒドロキシエチル）−ｐ−フェニレンジアミン、Ｎ，Ｎ−ジメチルパラフェニレンジアミンおよびＮ，Ｎ，Ｎ，Ｎ−テトラメチル−１，４−パラフェニレンジアミンであることが好ましいが、これに限定されるものではない。
【００５８】
また、前記式（ＩＩＩ）中におけるＲ１からＲ８はそれぞれ独立に、水素、アルキル基、アミノ基、ヒドロキシアルキル基またはアルコキシ基である。Ｒ１からＲ８におけるアルキル基は、炭素数４以下であることが好ましい。Ｒ１からＲ８におけるアルキル基の炭素数はそれぞれ独立に、４以下であってもよく、３以下であってもよく、２以下であってもよく、１であってもよい。
【００５９】
また、Ｒ１からＲ８におけるアルキル基は直鎖アルキル基であってもよく、分岐鎖アルキル基であってもよい。直鎖アルキル基としては、例えばメチル基、エチル基、ｎ−プロピル基、およびｎ−ブチル基等が挙げられるが、これに限定されるものではない。また、分岐鎖アルキル基としては例えば、ｉｓｏ−プロピル基、ｓｅｃ−ブチル基、ｉｓｏ−ブチル基、ｔｅｒｔ−ブチル基等が挙げられるが、これに限定されるものではない。
【００６０】
また、Ｒ１からＲ８におけるヒドロキシアルキル基は、炭素数２以下であることが好ましい。Ｒ１からＲ８におけるヒドロキシアルキル基の炭素数はそれぞれ独立に、２以下であってもよく、１であってもよい。Ｒ１からＲ８におけるヒドロキシアルキル基は、例えば、ヒドロキシメチル基およびヒドロキシエチル基等が挙げられるが、これに限定されるものではない。
【００６１】
また、Ｒ１からＲ８におけるアルコキシ基は、炭素数２以下であることが好ましい。Ｒ１からＲ８におけるアルコキシ基の炭素数はそれぞれ独立に、２以下であってもよく、１であってもよい。Ｒ１からＲ８におけるアルコキシ基としては、例えばメトキシ基およびエトキシ基等が挙げられるが、これに限定されるものではない。
【００６２】
前記式（ＩＩＩ）により表される化合物としては、例えば４，４−ジアミノビフェニル（ベンジジン）、３，３−ジメチルベンジジン、ジメトキシベンジジン、オルトジメトキシベンジジン、メタジメトキシベンジジン、オルトジエトキシベンジジン、メタジエトキシベンジジン、２，２‘−ジアミノベンジジン、３，３−ジアミノベンジジン、および３，３−ジエチルベンジジン等が挙げられ、この中でも４，４−ジアミノビフェニル（ベンジジン）および３，３−ジメチルベンジジンであることが好ましいが、これに限定されるものではない。
【００６３】
また、前記式（ＩＶ）中におけるＲ１からＲ８はそれぞれ独立に、水素、アルキル基、アミノ基、ヒドロキシアルキル基またはアルコキシ基である。Ｒ１からＲ８におけるアルキル基は、炭素数４以下であることが好ましい。Ｒ１からＲ８におけるアルキル基の炭素数はそれぞれ独立に、４以下であってもよく、３以下であってもよく、２以下であってもよく、１であってもよい。
【００６４】
また、Ｒ１からＲ８におけるアルキル基は直鎖アルキル基であってもよく、分岐鎖アルキル基であってもよい。直鎖アルキル基としては、例えばメチル基、エチル基、ｎ−プロピル基、およびｎ−ブチル基等が挙げられるが、これに限定されるものではない。また、分岐鎖アルキル基としては例えば、ｉｓｏ−プロピル基、ｓｅｃ−ブチル基、ｉｓｏ−ブチル基、ｔｅｒｔ−ブチル基等が挙げられるが、これに限定されるものではない。
【００６５】
また、Ｒ１からＲ８におけるヒドロキシアルキル基は、炭素数２以下であることが好ましい。Ｒ１からＲ８におけるヒドロキシアルキル基の炭素数はそれぞれ独立に、２以下であってもよく、１であってもよい。Ｒ１からＲ８におけるヒドロキシアルキル基は、例えば、ヒドロキシメチル基およびヒドロキシエチル基等が挙げられるが、これに限定されるものではない。
【００６６】
また、Ｒ１からＲ８におけるアルコキシ基は、炭素数２以下であることが好ましい。Ｒ１からＲ８におけるアルコキシ基の炭素数はそれぞれ独立に、２以下であってもよく、１であってもよい。Ｒ１からＲ８におけるアルコキシ基としては、例えばメトキシ基およびエトキシ基等が挙げられるが、これに限定されるものではない。
【００６７】
前記式（ＩＶ）により表される化合物としては、例えば４，４−ジアミノジフェニルアミン、４，４−ジアミノ−２，２−ジメチルジフェニルアミン、４，４−ジアミノ−３，３−ジメチルジフェニルアミン、４，４−ジアミノ−２，２−ジエチルジフェニルアミン、４，４−ジアミノ−３，３−ジエチルジフェニルアミン、４，４−ジアミノ−２，２−ジメトキシジフェニルアミン、４，４−ジアミノ−３，３−ジメトキシフェニルアミン、４，４−ジアミノ−２，２−ジエトキシジフェニルアミン、４，４−ジアミノ−３，３−ジエトキシジフェニルアミンおよびジアミノジフェニルアミン等が挙げられ、この中でも４，４−ジアミノジフェニルアミンであることが好ましいが、これに限定されるものではない。
【００６８】
また、前記式（Ｖ）中におけるＲ１からＲ５はそれぞれ独立に、水素、アルキル基またはヒドロキシアルキル基である。Ｒ１からＲ５におけるアルキル基は、炭素数４以下であることが好ましい。Ｒ１からＲ３におけるアルキル基の炭素数はそれぞれ独立に、４以下であってもよく、３以下であってもよく、２以下であってもよく、１であってもよい。
【００６９】
また、Ｒ１からＲ５におけるアルキル基は直鎖アルキル基であってもよく、分岐鎖アルキル基であってもよい。直鎖アルキル基としては、例えばメチル基、エチル基、ｎ−プロピル基、およびｎ−ブチル基等が挙げられるが、これに限定されるものではない。また、分岐鎖アルキル基としては例えば、ｉｓｏ−プロピル基、ｓｅｃ−ブチル基、ｉｓｏ−ブチル基、ｔｅｒｔ−ブチル基等が挙げられるが、これに限定されるものではない。
【００７０】
また、Ｒ１からＲ４におけるヒドロキシアルキル基は、炭素数２以下であることが好ましい。Ｒ１からＲ４におけるヒドロキシアルキル基の炭素数はそれぞれ独立に、２以下であってもよく、１であってもよい。Ｒ１からＲ４におけるヒドロキシアルキル基は、例えば、ヒドロキシメチル基およびヒドロキシエチル基等が挙げられるが、これに限定されるものではない。
【００７１】
上記式（Ｖ）により表される化合物としては、例えば、２，４−ジアミノフェノール、２，４−ジアミノフェノキシエタノール、２，４−ジアミノフェノキシメタノール、４−ジアミノメトキシベンゼン、２，４−ジアミノエトキシベンゼン、２，４−ジアミノメチルフェノール、２．４−ジアミノエチルフェノール、２，４−ビス（β−ヒドロキシメチル）フェノール、２，４−ビス（β−ヒドロキシエチル）フェノール、Ｎ，Ｎ，Ｎ，Ｎ−テトラメチル−２，４−ジアミノフェノール、Ｎ，Ｎ，Ｎ，Ｎ−テトラエチル−２，４−ジアミノフェノール、Ｎ，Ｎ，Ｎ，Ｎ−テトラキス（β−ヒドキシメチル）−２，４−ジアミノフェノールおよびＮ，Ｎ，Ｎ，Ｎ−テトラキス（β−ヒドキシエチル）−２，４−ジアミノフェノール等が挙げられ、この中でも２，４−ジアミノフェノールおよび２，４−ジアミノフェノキシエタノールであることが好ましいが、これに限定されるものではない。
【００７２】
前記式（Ｉ）、前記式（ＩＩ）、前記式（ＩＩＩ）、前記式（ＩＶ）または前記式（Ｖ）にて示される化合物の塩は、特に限定されず、それぞれ独立にいかなる塩であってもよい。該塩は、化合物の親水性を向上させる塩であることが好ましい。このような塩であれば、発色剤が水に溶解しやすくなる。したがって、該発色剤の水溶液を含むアスベスト検出剤を、アスベストを含む被験物質に接触させることにより、効率的に強い発色を得ることができる。
【００７３】
該塩としては、例えば塩酸塩、硫酸塩、臭化水素酸塩、硝酸塩、リン酸塩、炭酸塩、重炭酸塩、マレイン酸塩、フマル酸塩、乳酸塩、酒石酸塩、クエン酸塩、シュウ酸塩、グルコン酸塩、スルホン酸塩、酢酸塩、ギ酸塩、酪酸塩、過塩素酸塩、ほう酸塩およびケイ酸塩等が挙げられ、この中でも塩酸塩および硫酸塩が特に好ましいが、これに限定されるものではない。
【００７４】
アスベスト検出剤に含まれる発色剤の濃度は、特に限定されるものではないが、例えば０．００５質量％以上５質量％以下であることが好ましく、０．０１質量％以上５質量％以下であることがより好ましく、０．０２質量％以上５質量％以下であることがより好ましく、０．０２質量％以上４質量％以下であることがより好ましく、０．０２質量％以上３質量％以下であることがより好ましく、０．０２質量％以上２質量％以下であることがより好ましく、０．０２質量％以上１質量％以下であることがより好ましく、０．０５質量％以上１質量％以下であることがより好ましく、０．１質量％以上１質量％以下であることがより好ましく、０．２質量％以上１質量％以下であることがより好ましい。
【００７５】
発色剤の濃度が０．００５質量％以上であれば、アスベスト検出剤とアスベストを接触させることにより発色が得られる。また、発色剤の濃度が５質量％以下であれば、アスベスト検出剤自体の非特異的な発色を抑制できる。「非特異的な発色」の意味については後述する。
【００７６】
（キレート剤）
本実施形態に係るアスベスト検出剤には、キレート剤が含まれていてもよい。キレート剤は、アスベスト検出剤におけるアスベストに対する発色の特異性を高める成分である。
【００７７】
前記のアスベスト検出剤は、アスベストと接触した場合は発色するが、アスベストの代替品の一例であるロックウール等と接触した場合は発色しないというように、アスベスト特異的な発色を示すことが望まれる。しかしながら、前記のアスベスト検出剤は、市場に流通する一部のロックウールとの接触によっても発色するという、非特異的な発色を示す場合がある。
【００７８】
ロックウールは、原料として製鋼工程において発生する鉄鋼スラグが用いられる。鉄鋼スラグの主成分は酸化カルシウムおよび二酸化ケイ素であるが、金属成分も含まれる。本発明の発明者らは、ロックウールに含まれる金属成分または酸化カルシウム等が上述の発色剤と反応していると考え、アスベスト検出剤に金属成分をマスキングするためのキレート剤を加えることで、上述の非特異的な発色をさらに抑制できることを見出した。
【００７９】
前記のキレート剤は、特に限定されることなく、例えば脂肪族ヒドロキシカルボン酸系のキレート剤およびアミノカルボン酸系のキレート剤等であることが好ましい。脂肪族ヒドロキシカルボン酸系のキレート剤としては、例えばリンゴ酸、クエン酸、イソクエン酸等が挙げられるが、これに限定されるものではない。また、アミノカルボン酸系のキレート剤としては、例えばエチレンジアミン四酢酸（ＥＤＴＡ）、エチレンジアミンジコハク酸（ＥＤＤＳ）、グリコールエーテルジアミン四酢酸（ＥＧＴＡ）、トランス−１，２−ジアミノシクロヘキサン−Ｎ，Ｎ，Ｎ，Ｎ−四酢酸（ＣｙＤＴＡ）、トリエチレンテトラミン六酢酸（ＴＴＨＡ）、ニトリロ三酢酸（ＮＴＡ）、ジエチレントリアミン五酢酸（ＤＴＰＡ）、Ｎ−（２−ヒドロキシエチル）イミノ二酢酸（ＨＩＤＡ）、Ｎ−（２−ヒドロキシエチル）エチレンジアミン三酢酸（ＨＥＤＴＡ）および１，３−プロパンジアミン四酢酸（ＰＤＴＡ）からなる群から選択される化合物またはその塩等が挙げられるが、これに限定されるものではない。
【００８０】
前記の塩は、特に限定されず、あらゆる塩であり得る。該塩としては、例えば、アンモニウム塩、ナトリウム塩、マグネシウム塩、カルシウム塩、カリウム塩、およびエタノールアミン塩等を挙げることができるが、これに限定されるものではない。
【００８１】
また、アスベスト検出剤に含まれる前記のキレート剤の濃度は、特に限定されるものではないが、例えばＣｙＤＴＡまたはＥＤＤＳをキレート剤として使用する場合、０．００００１質量％以上０．０５質量％以下であることが好ましく、０．００００１質量％以上０．０１質量％以下であることがより好ましく、０．０００１質量％以上０．０１質量％以下であることがより好ましく、０．００１質量％以上０．０１質量％以下であることがより好ましく、０．００１質量％以上０．００７５質量％以下であることがより好ましく、０．００１質量％以上０．００５質量％以下であることがより好ましい。
【００８２】
また、例えばＥＧＴＡをキレート剤として使用する場合、０．０１質量％以上５質量％以下であることが好ましく、０．０１質量％以上４質量％以下であることがより好ましく、０．０１質量％以上３質量％以下であることがより好ましく、０．０１質量％以上２質量％以下であることがより好ましく、０．１質量％以上２質量％以下であることがより好ましい。キレート剤の濃度が前記範囲内であれば、ロックウール等との接触によるアスベスト検出剤の発色を抑制でき、不溶化したキレート剤によるアスベスト検出剤の発色阻害を起こしにくい。
【００８３】
このように、本実施形態に係るアスベスト検出剤に前記のキレート剤が含まれていれば、アスベストとの接触による発色は阻害せず、ロックウール等との接触による非特異的な発色をさらに抑制できる。また、建材等の被験物質にカルシウムイオンなどの金属成分が含まれていた場合にも、該金属成分による、アスベストに対するアスベスト検出剤の発色阻害を抑制できる。
【００８４】
（有機溶媒）
本実施形態に係るアスベスト検出剤は、エーテル基を有する有機溶媒をさらに含んでいてもよい。このような有機溶媒としては、グリコール系またはグリコールエーテル系の有機溶媒が好ましいが、これに限定されるものではない。より具体的には、前記の有機溶媒は、下記式（ＶＩＩ）および下記式（ＶＩＩＩ）によって示される化合物からなる群から選択される何れか１つ以上であってもよい；
【００８５】
【化１２】
2020165973.tif 000014
【００８６】
［式（ＶＩＩ）中、Ｒ１およびＲ２はそれぞれ独立に、水素またはアルキル基であり、
ｎは１以上３以下である］、
【００８７】
【化１３】
2020165973.tif 000015
【００８８】
［式（ＶＩＩＩ）中、Ｒ１およびＲ２はそれぞれ独立に、水素またはアルキル基であり、
ｎは１以上３以下である］。
【００８９】
このような有機溶媒は、前記の発色剤の分散性を向上させる効果がある。それ故に、建材等の被験物質の表面に発色剤が吸着してしまった場合でも、前記の有機溶媒の作用によって発色剤が再溶解しやすくなる。それ故に、前記の吸着によって発色剤の発色が阻害されてしまう現象を抑制できるため、アスベスト検出剤に前記の有機溶媒が含まれることで、アスベスト検出剤のアスベストに対する発色感度の向上が期待できる。したがって前記の有機溶媒は、感度向上剤としてアスベスト検出剤に含まれることが好ましい。
【００９０】
ここで、前記式（ＶＩＩ）および前記式（ＶＩＩＩ）中のそれぞれにおけるＲ１およびＲ２は、それぞれ独立に、水素またはアルキル基である。Ｒ１およびＲ２におけるアルキル基は、炭素数８以下であることが好ましい。これらのＲ１およびＲ２におけるアルキル基の炭素数はそれぞれ独立に、８以下であってもよく、７以下であってもよく、６以下であってもよく、５以下であってもよく、４以下であってもよく、３以下であってもよく、２以下であってもよく、１であってもよい。
【００９１】
また、Ｒ１およびＲ２におけるアルキル基は直鎖アルキル基であってもよく、分岐鎖アルキル基であってもよい。直鎖アルキル基としては、例えばメチル基、エチル基、ｎ−プロピル基、およびｎ−ブチル基、ｎ−ペンチル基およびｎ−ヘキシル基等が挙げられるが、これに限定されるものではない。また、分岐鎖アルキル基としては例えば、ｉｓｏ−プロピル基、ｓｅｃ−ブチル基、ｉｓｏ−ブチル基、ｔｅｒｔ−ブチル基等が挙げられるが、これに限定されるものではない。
【００９２】
また、前記式（ＶＩＩ）および前記式（ＶＩＩＩ）中におけるｎは、それぞれ独立に、１以上３以下である。
【００９３】
前記式（ＶＩＩ）により表される化合物は、例えば、ブチルグリコール（エチレングリコールモノブチルエーテル）、ヘキシルジグリコール（ジエチレングリコールモノヘキシルエーテル）、エチレングリコールブチルメチルエーテル、エチレングリコールブチルエチルエーテル、エチレングリコールブチルプロピルエーテル、エチレングリコールジブチルエーテル、ジエチレングリコールヘキシルメチルエーテル、ジエチレングリコールヘキシルエチルエーテル、ジエチレングリコールヘキシルプロピルエーテル、ジエチレングリコールヘキシルブチルエーテル、ジエチレングリコールジヘキシルエーテル等が挙げられ、中でもブチルグリコールまたはヘキシルジグリコールであることが好ましいが、これに限定されるものではない。
【００９４】
前記式（ＶＩＩＩ）により表される化合物は、例えば、プロピレングリコールモノブチルエーテル、ジプロピレングリコールモノヘキシルエーテル、プロピレングリコールブチルメチルエーテル、プロピレングリコールブチルエチルエーテル、プロピレングリコールブチルプロピルエーテル、プロピレングリコールジブチルエーテル、ジプロピレングリコールヘキシルメチルエーテル、ジプロピレングリコールヘキシルエチルエーテル、ジプロピレングリコールヘキシルプロピルエーテル、ジプロピレングリコールヘキシルブチルエーテル、ジプロピレングリコールジヘキシルエーテル等が挙げられるが、これに限定されるものではない。
【００９５】
アスベスト検出剤に含まれる前記の有機溶媒の濃度は、特に限定されるものではないが、例えば０．００１質量％以上１質量％以下であることが好ましく、０．００１質量％以上０．２質量％以下であることがより好ましく、０．００１質量％以上０．１質量％以下であることがより好ましく、０．０１質量％以上０．１質量％以下であることがより好ましく、０．０５質量％以上０．１質量％以下であることがより好ましい。
【００９６】
（酸化防止剤）
本実施形態に係るアスベスト検出剤は、酸化防止剤をさらに含んでいてもよい。酸化防止剤は、建材等の被験物質に含まれているアスベスト以外の物質との反応による非特異的な発色を抑制する成分である。
【００９７】
前記のアスベスト検出剤は、アスベストと接触した場合のみ発色する、アスベスト特異的な発色を示すことが望まれる。しかしながら、上述の発色剤はアスベストと反応することで発色する一方、残留塩素等の酸化性物質または溶存酸素等と反応することでも発色する場合がある。本発明の発明者らは、発色剤のアスベストとの反応による発色と、酸化性物質または溶存酸素等との反応による発色とは、異なる種類の化学反応によって発色すると考えた。そして、発色剤と酸化性物質または溶存酸素等との反応は、酸化反応による発色であり、この反応を抑制することで、発色剤がアスベスト以外の物質と反応することによる非特異的な発色を抑制できることを見出した。
【００９８】
アスベスト検出剤に前記の酸化防止剤が含まれていれば、アスベスト検出剤と酸化性物質または溶存酸素等とが接触した場合でも、酸化防止剤が発色剤の非特異的な発色を抑制する。一方で、酸化防止剤が含まれるアスベスト検出剤とアスベストとが接触した場合でも、酸化防止剤は発色剤とアスベストとの反応による発色を阻害しない。このように、酸化防止剤は発色剤の酸化反応による非特異的な発色のみを抑制できるため、酸化防止剤を含むアスベスト検出剤によれば、感度よくアスベストを検出することができる。
【００９９】
前記の酸化防止剤は、水溶性の酸化防止剤であることが好ましい。酸化防止剤は、水溶性の酸化防止剤であれば特に限定されることなく、例えば無機系または有機系の酸化防止剤が考えられる。無機系の酸化防止剤としては、例えば亜硫酸カリウム、亜硫酸ナトリウム、二亜硫酸カリウム（ピロ亜硫酸カリウム）、二亜硫酸ナトリウム（ピロ亜硫酸ナトリウム）等が挙げられ、この中でも亜硫酸ナトリウムおよび二亜硫酸ナトリウムが特に好ましいが、これに限定されるものではない。また、有機系の酸化防止剤としては、例えばＬ−アスコルビン酸、エリソルビン酸、エリソルビン酸ナトリウム等が挙げられ、この中でもＬ−アスコルビン酸およびエリソルビン酸が特に好ましいが、これに限定されるものではない。
【０１００】
また、アスベスト検出剤に含まれる前記の酸化防止剤の濃度は、特に限定されるものではないが、例えば亜硫酸カリウムまたは亜硫酸ナトリウムを酸化防止剤として使用する場合、０．０００５質量％以上０．００５質量％以下であることが好ましく、０．０００５質量％以上０．００１質量％以下であることがより好ましい。また、例えば二亜硫酸カリウムまたは二亜硫酸ナトリウムを酸化防止剤として使用する場合、０．０００１質量％以上０．００５質量％以下であることが好ましく、０．０００１質量％以上０．００１質量％以下であることがより好ましく、０．０００１質量％以上０．０００５質量％以下であることがより好ましい。また、例えばＬ−アスコルビン酸、エリソルビン酸またはエリソルビン酸ナトリウム等を酸化防止剤として使用する場合、０．００００１質量％以上０．００５質量％以下であることが好ましく、０．００００１質量％以上０．００１質量％以下であることがより好ましく、０．００００１質量％以上０．０００５質量％以下であることがより好ましく、０．００００１質量％以上０．０００１質量％以下であることがより好ましく、０．００００１質量％以上０．００００５質量％以下であることがより好ましい。
【０１０１】
（ｐＨ緩衝剤）
本実施形態に係るアスベスト検出剤は、ｐＨ９以下に緩衝能を有するｐＨ緩衝剤をさらに含んでいてもよい。建材等の被験物質は多様な種類があり、中には石灰石等の高ｐＨの成分が含まれているものがある。アスベスト検出剤と被験物質とを接触したとき、被験物質にこのような高ｐＨの成分が含まれていた場合には、アスベスト検出剤のｐＨが上昇する。アスベスト検出剤におけるｐＨの上昇は、発色剤の発色阻害の原因となる。特に、アスベスト検出剤のｐＨが９を超えた場合には、前記のキレート剤による金属成分のマスキング効果よりも、水酸化カルシウム等の形成が優先されてしまい、前記の発色阻害が起こりやすい。
【０１０２】
アスベスト検出剤に前記のｐＨ緩衝剤が含まれていれば、アスベスト検出剤と被験物質とを接触した場合に、アスベスト検出剤のｐＨが上昇しにくい。したがって、ｐＨの上昇による発色の阻害を抑制できるため、アスベスト検出剤によって感度よくアスベストを検出することができる。
【０１０３】
前記のｐＨ緩衝剤は、ｐＨ９以下に緩衝能を有することが好ましく、ｐＨ８．５以下に緩衝能を有することがより好ましく、ｐＨ８以下に緩衝能を有することがより好ましく、ｐＨ７．５以下に緩衝能を有することがより好ましい。また、ｐＨ７以下に緩衝能を有していてもよく、ｐＨ６．５以下に緩衝能を有していてもよく、ｐＨ６以下に緩衝能を有していてもよい。
【０１０４】
前記のｐＨ緩衝剤は、通常、ｐＨ緩衝剤を水等に溶解したｐＨ緩衝液として利用される。ｐＨ緩衝液としては、例えば、リン酸緩衝液、クエン酸カリウム緩衝液、クエン酸ナトリウム緩衝液、ＥＤＴＡ緩衝液、炭酸−重炭酸緩衝液、トリス（ヒドロキシメチル）アミノメタン緩衝液（Ｔｒｉｓ緩衝液）、ＴＥ（Ｔｒｉｓ−ＥＤＴＡ）緩衝液、ＴＡＥ（Ｔｒｉｓ−酢酸−ＥＤＴＡ）緩衝液、フタル酸緩衝液、酢酸−酢酸ナトリウム緩衝液およびほう酸ナトリウム緩衝液等を挙げることができるが、これに限定されるものではない。
【０１０５】
また、アスベスト検出剤における前記のｐＨ緩衝液の含有量は、特に限定されるものではないが、例えば、アスベスト検出剤が含有するｐＨ緩衝剤の終濃度が１ｍＭ（ミリモル濃度）以上６ｍＭ以下となることが好ましく、１．５ｍＭ以上６ｍＭ以下となることがより好ましく、１．５ｍＭ以上５．５ｍＭ以下となることがより好ましく、２ｍＭ以上５．５ｍＭ以下となることがより好ましく、２ｍＭ以上５ｍＭ以下となることがより好ましく、２ｍＭ以上４．５ｍＭ以下となることがより好ましく、２ｍＭ以上４ｍＭ以下となることがより好ましく、２ｍＭ以上３．５ｍＭ以下となることがより好ましく、２ｍＭ以上３ｍＭ以下となることがより好ましい。
【０１０６】
（アスベストの種類）
本実施形態に係るアスベスト検出剤を用いて検出されるアスベストとは、国際労働機関（ＩＬＯ）によって定義される蛇紋石または角閃石グループに属する繊維状の無機けい酸塩鉱物を示す。該アスベストの例としては、クリソタイル（白石綿；Ｍｇ３Ｓｉ２Ｏ５（ＯＨ）４）、クロシドライト（青石綿；Ｎａ２（Ｆｅ２＋３Ｆｅ３＋２Ｓｉ８Ｏ２２（ＯＨ）２））、アモサイト（茶石綿；Ｍｇ７Ｓｉ８Ｏ２２（ＯＨ）２）、アンソフィライト（直閃石綿；Ｍｇ７Ｓｉ８Ｏ２２（ＯＨ）２）、トレモライト（透角閃石綿；Ｃａ２（Ｍｇ／Ｆｅ）５Ｓｉ８Ｏ２２（ＯＨ）２、Ｍｇ／（Ｍｇ＋Ｆｅ）＝１．０−０．９）およびアクチノライト（陽起石綿；Ｃａ２（Ｍｇ，Ｆｅ）５Ｓｉ８Ｏ２２（ＯＨ）２、Ｍｇ／（Ｍｇ＋Ｆｅ）＝０．５−０．９）等が挙げられるが、これに限定されるものではない。被験物質に含まれるアスベストは、これらのうちの少なくとも１種以上であってもよく、より好ましくはクリソタイル、クロシドライトおよびアモサイトのうちの少なくとも１種以上であるが、これに限定されるものではない。
【０１０７】
また被験物質中には、上述のようなアスベストが少なくとも０．１質量％以上含まれていれば、本実施形態に係るアスベスト検出剤を用いて検出することができる。被験物質中に含まれるアスベストが少ない場合（例えば、１．０質量％未満）、アスベスト検出剤は、発色剤に加えて、キレート剤、有機溶媒、酸化防止剤およびｐＨ緩衝剤の少なくともいずれか１つ以上を含むことがより好ましい。これにより、アスベスト検出剤の、アスベスト特異的な発色と、アスベスト非特異的な発色とを明確に区別することが容易となる。
【０１０８】
〔２．アスベスト検出キット〕
本実施形態に係るアスベスト検出キットには、少なくとも上述のアスベスト検出剤が含まれていればよい。さらにキレート剤、有機溶媒、およびｐＨ緩衝剤（またはｐＨ緩衝液）が含まれていてもよい。該アスベスト検出用キットが上述の発色剤、キレート剤、有機溶媒、およびｐＨ緩衝剤（またはｐＨ緩衝液）等の複数の構成からなる場合、上記各構成はあらかじめ混合された状態で（つまり一体として）該アスベスト検出キットに含まれていてもよいが、それぞれ別々の状態で（つまり別体として）該アスベスト検出キットに含まれていてもよい。上記構成が別々の状態で該アスベスト検出キットに含まれている態様の場合は、アスベスト検出を行う毎に、アスベスト検出剤を調製する（つまり用時調製する）ことになるが、アスベスト検出剤の安定性の観点からは、用時調製する態様の方が好ましい場合がある。
【０１０９】
また、該アスベスト検出キットはさらに、その他の構成を備えていてもよい。このような構成として例えば、溶媒としての水、アスベスト検出剤を調製するための調製用容器、被験物質をアスベスト検出剤に浸漬するための浸漬用容器、キットの取扱説明書、発色見本、および被験物質にアスベスト検出剤を噴霧するためのスプレー等を挙げることができるが、これに限定されるものではない。
【０１１０】
〔３．アスベスト検出方法〕
本実施形態に係るアスベスト検出方法は、上述の発色剤を含むアスベスト検出剤と、被験物質とを接触する工程と、前記アスベスト検出剤が発色したか否かを判定する工程と、を含む。
【０１１１】
アスベスト検出剤と被験物質とを接触させる方法としては、例えば、被験物質のアスベスト検出剤への浸漬、被験物質へのアスベスト検出剤の滴下または噴霧等が挙げられるが、これに限られず、いかなる方法による接触であってもよい。また、被験物質は必要に応じて、判定のために適切な大きさの欠片を得られるよう粉砕されてもよい。また、前記の接触前に被験物質が洗浄等されてもよいが、必須ではない。
【０１１２】
被験物質と接触したアスベスト検出剤は、発色しているか否かが判定される。該判定は、人の目視によるものであってもよく、画像解析装置等を用いた色調解析によるものであってもよく、光分析装置等を用いた波長測定によるものであってもよく、その他のいかなる方法によるものであってもよい。図１は、本実施形態に係るアスベスト検出方法（浸漬式）によって、アスベスト（被験物質）およびロックウール（対照物質）を呈色させた結果を示す図である。図１に示すように、本実施形態に係るアスベスト検出剤によれば、人の目視によって明確に発色の有無を判定することができる。
【０１１３】
被験物質と接触したアスベスト検出剤が発色しているか否かの判定は、該接触後数分以内に行ってよい。例えば、該判定を行うのは、前記の接触後１分以上５分以内の時点であってもよく、１分以上４分以内の時点であってもよく、２分以上４分以内の時点であってもよく、３分の時点であってもよい。前記の判定が前記の接触後１分以上後の時点で行われることにより、アスベスト検出剤が十分に発色できる。また、前記の判定が前記の接触後５分以内の時点で行われることにより、アスベスト検出剤の非特異的な発色による判定への影響を低減できる。
【０１１４】
このように、本実施形態に係るアスベスト検出方法によれば、アスベスト検出剤と被験物質とを接触させ、発色の有無を判定するだけの簡便な工程によって、５分以内という非常に短い時間でアスベスト検出を完了できる。したがって、アスベスト検出を行う判定者は、多くの被験物質に対して効率的にアスベスト検出を行っていくことができる。
【０１１５】
〔まとめ〕
本発明の態様１に係るアスベスト検出剤は、下記式（Ｉ）、下記式（ＩＩ）、下記式（ＩＩＩ）、下記式（ＩＶ）および下記式（Ｖ）によって示される化合物の塩からなる群から選択される何れか１つ以上を含む；
【０１１６】
【化１４】
2020165973.tif 000016
【０１１７】
［式（Ｉ）中、Ｒ１からＲ３はそれぞれ独立に、水素、アルキル基またはヒドロキシアルキル基である］、
【０１１８】
【化１５】
2020165973.tif 000017
【０１１９】
［式（ＩＩ）中、Ｒ１からＲ４はそれぞれ独立に、水素、アルキル基、ヒドロキシアルキル基またはイミノ基である］、
【０１２０】
【化１６】
2020165973.tif 000018
【０１２１】
［式（ＩＩＩ）中、Ｒ１からＲ８はそれぞれ独立に、水素、アルキル基、アミノ基、ヒドロキシアルキル基またはアルコキシ基である］、
【０１２２】
【化１７】
2020165973.tif 000019
【０１２３】
［式（ＩＶ）中、Ｒ１からＲ８はそれぞれ独立に、水素、アルキル基、アミノ基、ヒドロキシアルキル基またはアルコキシ基である］、
【０１２４】
【化１８】
2020165973.tif 000020
【０１２５】
［式（Ｖ）中、Ｒ１からＲ５はそれぞれ独立に、水素、アルキル基またはヒドロキシアルキル基である］。
【０１２６】
本発明の態様２に係るアスベスト検出剤は、前記態様１において、前記式（Ｉ）によって示される化合物は、前記式（Ｉ）中、Ｒ１からＲ３はそれぞれ独立に、水素、炭素数４以下のアルキル基または炭素数２以下のヒドロキシアルキル基であり、前記式（ＩＩ）によって示される化合物は、前記式（ＩＩ）中、Ｒ１からＲ４はそれぞれ独立に、水素、炭素数４以下のアルキル基、炭素数２以下のヒドロキシアルキル基またはイミノ基であり、前記式（ＩＩＩ）によって示される化合物は、前記式（ＩＩＩ）中、Ｒ１からＲ８はそれぞれ独立に、水素、炭素数４以下のアルキル基、アミノ基、炭素数２以下のヒドロキシアルキル基または炭素数２以下のアルコキシ基であり、前記式（ＩＶ）によって示される化合物は、前記式（ＩＶ）中、Ｒ１からＲ８はそれぞれ独立に、水素、炭素数４以下のアルキル基、アミノ基、炭素数２以下のヒドロキシアルキル基または炭素数２以下のアルコキシ基であり、前記式（Ｖ）によって示される化合物は、前記式（Ｖ）中、Ｒ１からＲ５はそれぞれ独立に、水素、炭素数４以下のアルキル基または炭素数２以下のヒドロキシアルキル基であってもよい。
【０１２７】
本発明の態様３に係るアスベスト検出剤は、前記態様１または２において、前記式（Ｉ）によって示される化合物は、前記式（Ｉ）中、Ｒ１からＲ３はそれぞれ独立に、水素、直鎖アルキル基またはヒドロキシアルキル基であり、前記式（ＩＩ）によって示される化合物は、前記式（ＩＩ）中、Ｒ１からＲ４はそれぞれ独立に、水素、直鎖アルキル基、ヒドロキシアルキル基またはイミノ基であり、前記式（ＩＩＩ）によって示される化合物は、前記式（ＩＩＩ）中、Ｒ１からＲ８はそれぞれ独立に、水素、直鎖アルキル基、アミノ基、ヒドロキシアルキル基またはアルコキシ基であり、前記式（ＩＶ）によって示される化合物は、前記式（ＩＶ）中、Ｒ１からＲ８はそれぞれ独立に、水素、直鎖アルキル基、アミノ基、ヒドロキシアルキル基またはアルコキシ基であり、前記式（Ｖ）によって示される化合物は、前記式（Ｖ）中、Ｒ１からＲ５はそれぞれ独立に、水素、直鎖アルキル基またはヒドロキシアルキル基であってもよい。
【０１２８】
本発明の態様４に係るアスベスト検出剤は、前記態様１から３において、キレート剤をさらに含んでいてもよい。
【０１２９】
本発明の態様５に係るアスベスト検出剤は、前記態様４において、前記キレート剤は、脂肪族ヒドロキシカルボン酸系の化合物およびアミノカルボン酸系の化合物からなる群から選択される何れか１つ以上の化合物またはその塩であってもよい。
【０１３０】
本発明の態様６に係るアスベスト検出剤は、前記態様４または５において、前記キレート剤は、リンゴ酸、クエン酸、イソクエン酸、エチレンジアミン四酢酸、エチレンジアミンジコハク酸、グリコールエーテルジアミン四酢酸、トランス−１，２−ジアミノシクロヘキサン−Ｎ，Ｎ，Ｎ，Ｎ−四酢酸、トリエチレンテトラミン六酢酸、ニトリロ三酢酸、ジエチレントリアミン五酢酸、Ｎ−（２−ヒドロキシエチル）イミノ二酢酸、Ｎ−（２−ヒドロキシエチル）エチレンジアミン三酢酸および１，３−プロパンジアミン四酢酸からなる群から選択される何れか１つ以上の化合物またはその塩であってもよい。
【０１３１】
本発明の態様７に係るアスベスト検出剤は、前記態様１から６において、エーテル基を有する有機溶媒をさらに含んでいてもよい。
【０１３２】
本発明の態様８に係るアスベスト検出剤は、前記態様７において、前記有機溶媒は、グリコール系またはグリコールエーテル系の有機溶媒であってもよい。
【０１３３】
本発明の態様９に係るアスベスト検出剤は、前記態様７または８において、前記有機溶媒は、下記式（ＶＩＩ）および下記式（ＶＩＩＩ）によって示される化合物からなる群から選択される何れか１つ以上であってもよい；
【０１３４】
【化１９】
2020165973.tif 000021
【０１３５】
［式（ＶＩＩ）中、Ｒ１およびＲ２はそれぞれ独立に、水素またはアルキル基であり、ｎは１以上３以下である］、
【０１３６】
【化２０】
2020165973.tif 000022
【０１３７】
［式（ＶＩＩＩ）中、Ｒ１およびＲ２はそれぞれ独立に、水素またはアルキル基であり、ｎは１以上３以下である］。
【０１３８】
本発明の態様１０に係るアスベスト検出剤は、前記態様１から９において、ｐＨ９以下に緩衝能を有する緩衝液をさらに含んでいてもよい。
【０１３９】
本発明の態様１１に係るアスベスト検出剤は、前記態様１から１０において、酸化防止剤をさらに含んでいてもよい。
【０１４０】
本発明の態様１２に係るアスベスト検出剤は、前記態様１１において、前記酸化防止剤は、水溶性の酸化防止剤であってもよい。
【０１４１】
本発明の態様１３に係るアスベスト検出剤は、前記態様１２において、前記酸化防止剤は、亜硫酸カリウム、亜硫酸ナトリウム、二亜硫酸カリウム、二亜硫酸ナトリウム、Ｌ−アスコルビン酸、エリソルビン酸およびエリソルビン酸ナトリウムからなる群から選択される何れか１つ以上の化合物であってもよい。
【０１４２】
本発明の態様１４に係るアスベスト検出キットは、前記態様１から１３におけるアスベスト検出剤を含む。
【０１４３】
本発明の態様１５に係るアスベスト検出方法は、前記態様１から１３におけるアスベスト検出剤と、被験物質とを接触する工程と、前記アスベスト検出剤が発色したか否かを判定する工程と、を含む。
【０１４４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【０１４５】
以下、実施例に基づいて本発明をより詳細に説明するが、本発明は以下の実施例に限定されるものではない。
【０１４６】
〔発色剤の濃度〕
発色剤としてＮ，Ｎ−ジエチルパラフェニレンジアミンを用い、該発色剤を０．００２質量％、０．００５質量％、０．０１質量％、０．０２質量％、０．０５質量％、０．１質量％、または０．２質量％含む水溶液を調製した。得られた各水溶液にクリソタイルの断片を浸漬した結果、０．００２質量％の水溶液では発色が得られなかったが、０．００５質量％以上の水溶液では、クリソタイルと水溶液との反応に由来する発色が得られた。この結果は、被験材としてクロシドライトおよびアモサイトの断片を用いた場合でも同様であった。
【０１４７】
また、前記の発色剤を５質量％、１０質量％、または２０質量％含む水溶液を調製した結果、５質量％水溶液は発色剤自体に由来する非特異的な発色は見られなかったが、１０質量％以上の水溶液では発色剤自体に由来する非特異的な発色が見られた。この結果から、本実施例におけるクリソタイルの検出における、アスベスト検出剤に含まれる発色剤の好ましい濃度は、０．００５質量％以上５質量％以下であることが示された。
【０１４８】
〔アスベスト検出〕
（アスベスト検出剤の条件）
図２〜図２１は、実施例１〜１１２または比較例１〜２４に係る各アスベスト検出剤の成分組成、並びに、これらのアスベスト検出剤の発色時のｐＨ、溶解性、および安定性を評価した結果を示す図である。ここで溶解性は、アスベスト検出剤の外観が、無色透明であれば「○」、マスキング剤の不溶化した粉末が若干残っている場合は「△」、明らかな不溶物、濁りまたは発色が見られる場合は「×」と評価した。なお、上述の溶解性が「△」または「×」となる場合でも、アスベストと発色剤とを接触させ、アスベストと発色剤との反応に由来する発色が目視により明確に確認できるならば、アスベスト検出剤としては有用である。
【０１４９】
また安定性は、実施例１〜３６および比較例１〜１３では、アスベスト検出剤について、アスベストを含まないベース被験材を浸漬して５分間無色透明のままである、または該ベース被験材に噴霧し、５分間外観に変化が認められない場合を「○」、それ以外の、アスベスト検出剤に発色が認められた場合を「×」と評価した。実施例３７〜１１２および比較例１４〜２４では、アスベスト検出剤を調製した後、アスベスト検出剤の外観が略２０分間無色透明を維持していた場合を「◎」、当該外観が略１０分間無色透明を維持していた場合を「○」、当該外観が１０分以上無色透明を維持していなかった場合（１０分未満で発色が見られた場合）を「×」と評価した。
【０１５０】
また、図２、図４〜図６、図９、図１０、図１２、図１３、図１５、図１７、図１８および図２０中の成分略称の詳細については、以下の通りである。なお、同図中、「アスベスト検出剤」を「組成物」、「キレート剤」を「マスキング剤」、「ｐＨ緩衝剤」を「緩衝剤」、「有機溶剤」を「感度向上剤」と表記する。
【０１５１】
実施例に係る発色剤については、以下の通りである；
ＤＰＤ・ＳＯ４：Ｎ，Ｎ−ジエチルパラフェニレンジアミン硫酸塩、
ＤＰＤ・ＨＣｌ：Ｎ，Ｎ−ジエチルパラフェニレンジアミン塩酸塩、
ＤＭＤ・ＨＣｌ：Ｎ，Ｎ−ジメチルパラフェニレンジアミン塩酸塩、
ＩＤＡ：４，４−ジアミノジフェニルアミン硫酸塩（イミノジアニリン）、
ＯＴ：３，３−ジメチルベンジジン二塩酸塩（オルトトリジン）、
ｐ−Ａｚ：パラアニシジン塩酸塩、
ＴＰＤ：Ｎ，Ｎ，Ｎ，Ｎ−テトラメチルパラフェニレンジアミン塩酸塩、
ＤＭＢｚ：ジメトキシベンジジン二塩酸塩、
ＤＰＤ・ＯＨ：Ｎ，Ｎ−ビス（β−ヒドロキシエチル）−ｐ−フェニレンジアミン、
ＤＡＰ：２，４−ジアミノフェノール二塩酸塩、
ＤＡＰＥ：２，４−ジアミノフェノキシエタノール二塩酸塩。
【０１５２】
また、比較例に係る発色剤については、以下の通りである；
ｐ−ＡＰ：パラアミノフェノール、
ＤＰＤ：Ｎ，Ｎ−ジエチルパラフェニレンジアミン（無塩）、
ｐ−Ｔｚ：パラトルイジン塩酸塩、
ＳＡＴ−３：Ｎ，Ｎ'−ビス（２−ヒドロキシ−３−スルホプロピル）トリジン二ナトリウム・四水和物。
【０１５３】
実施例に係るマスキング剤については、以下の通りである；
ＥＧＴＡ：グリコールエーテルジアミン四酢酸、
ＣｙＤＴＡ：トランス−１，２−ジアミノシクロヘキサン−Ｎ，Ｎ，Ｎ，Ｎ−四酢酸・一水和物、
ＥＤＤＳ：エチレンジアミン−Ｎ，Ｎ'−ジコハク酸、
ＥＤＴＡ：エチレンジアミン四酢酸二アンモニウム塩、
ＴＴＨＡ：トリエチレンテトラミン−Ｎ，Ｎ，Ｎ'，Ｎ''，Ｎ'''，Ｎ'''，−六酢酸。
【０１５４】
比較例に係る酸化防止剤については、以下の通りである；
ＢＨＴ：ジブチルヒドロキシトルエン。
【０１５５】
なお、ｐＨ緩衝液については、リン酸緩衝液およびクエン酸カリウム緩衝液のいずれも１０ｍＭのモル濃度のものを用いた。
【０１５６】
（アスベスト検出方法）
図２、図３、図９〜図１１に示すように、上述の実施例１〜１１、３７〜５３、比較例１〜７および１４〜１６に係るアスベスト検出剤を、アスベストであるクリソタイル、クロシドライトもしくはアモサイト、またはアスベスト代替物質であるロックウールの繊維と接触し、接触後３分の時点における発色の有無を評価した。また、前記の接触は浸漬式または噴霧式により実施した。
【０１５７】
また、図４〜図８、図１２〜図１４に示すように、建材中に含まれるアスベストの検出感度を試験するために、上述の実施例１２〜３６、５４〜７２、比較例８〜１３および１７〜１９に係るアスベスト検出剤については、アスベストであるクリソタイル、クロシドライト、もしくはアモサイト、またはアスベスト代替物質であるロックウールが１．０質量％含まれた被験材０．１ｇと接触し、接触後３分の時点における発色の有無を評価した。また、前記の接触は浸漬式または噴霧式により実施した。
【０１５８】
また、図１５〜図２１に示すように、建材中に含まれるアスベストの検出感度を試験するために、上述の実施例７３〜１１２および比較例２０〜２４に係るアスベスト検出剤については、アスベストであるクリソタイル、クロシドライト、もしくはアモサイト、またはアスベスト代替物質であるロックウールが０．１質量％含まれた被験材０．１ｇと接触し、接触後３分の時点における発色の有無を評価した。また、前記の接触は浸漬式または噴霧式により実施した。
【０１５９】
浸漬式では、前記の繊維または被験材を各アスベスト検出剤１０ｍＬに浸漬し、３分後の時点においてアスベストと発色剤との反応に由来する発色の有無を目視により判定した。また噴霧式では、前記の繊維または被験材に対して各アスベスト検出剤をミスト状にして噴霧し、３分後の時点においてアスベストと発色剤との反応に由来する発色の有無を目視により判定した。
【０１６０】
浸漬式および噴霧式のいずれの場合でも、結果の評価は、アスベストと発色剤との反応に由来する発色が目視により確認された場合は「○」、該発色が目視により確認されたが、発色がわずかにしか得られなかった場合は「△」、該発色が目視により確認されたが、マスキング剤由来の粉末もまた目視により確認された場合は「●」、該発色が目視により確認されなかった場合は「×」とした。
【０１６１】
また、被験材としてはフレキシブルボード、サイディング材または石膏ボードを用いた。フレキシブルボードまたはサイディング材は、非特異的な発色の原因となる金属成分（カルシウムイオン等）が多く含まれており、アスベスト検出が困難と考えられる被験材である。
【０１６２】
（アスベスト検出結果）
図３、図９および図１０に示すように、本発明の一実施例に係る種々の発色剤を含む実施例１〜１１および３７〜５３について、いずれの方法および繊維でも、アスベストに対する特異的な発色が得られた。一方、本発明の範囲に含まれない発色剤を含む比較例１〜４については、アスベストに対する発色が得られなかった。
【０１６３】
発色剤の濃度については、比較例５に示すように、０．０１質量％以下ではアスベストに対する発色が得られなかった。また比較例６および７に示すように、発色剤の濃度が１０質量％以上である場合には、発色剤自体が非特異的に発色してしまうため、アスベストに対する特異的な発色が得られなかった。一方、実施例１〜４に示すように、発色剤の濃度が０．１質量％以上２質量％以下であれば、アスベストに対する特異的な発色が良好に得られた。
【０１６４】
対して、ＤＰＤ・ＯＨを発色剤として用いた場合、実施例３７〜３９で示すように、発色剤の濃度が０．２質量％の場合だけでなく、０．０１質量％および０．００５質量％でもアスベストに対する発色が得られた。一方、比較例１４に示すように、発色剤の濃度が２０質量％では、発色剤自体が非特異的な発色を示し、アスベストに対する特異的な発色が得られなかった。
【０１６５】
また、本発明の一実施例に係る種々の酸化防止剤を含む実施例４２〜５３についても、アスベストに対する特異的な発色が得られた。酸化防止剤の濃度について、実施例４２〜５３に示すように、０．００００１質量％以上であればアスベストに対する特異的な発色が得られた。一方、比較例１５および１６に示すように、酸化防止剤の濃度が０．０１質量％以上である場合には、アスベストに対する特異的な発色が得られなかった。
【０１６６】
次に、被験材中に含まれるアスベストの検出結果を示す。図７、図１４、図１６、図１９および図２１に示すように、本発明の一実施例に係る種々の発色剤を含む実施例について、いずれの方法および被験材でも、アスベストに対する特異的な発色が得られた。さらに、アスベストおよびロックウールの含有量が０．１質量％の被験材においても、アスベストに対する特異的な発色が得られた。したがって、本発明のアスベスト検出剤を用いれば、被験材に含まれるアスベストの量が０．１質量％程度の少量である場合でも、アスベストを特異的に検出できることが示された。
【０１６７】
また、本発明の一実施例に係る種々のマスキング剤を含む実施例についても、同様にアスベストに対する特異的な発色が得られた。マスキング剤の濃度について、マスキング剤としてＥＧＴＡを用いた場合、実施例２６〜３６に示すように、０．０１質量％以上であればアスベストに対する特異的な発色が得られたが、比較例１３に示すように、０．００５質量％ではアスベストに対する特異的な発色が得られなかった。
【０１６８】
一方、マスキング剤としてＣｙＤＴＡを用いた場合、実施例９０に示すように、０．００００１質量％以上であればアスベストに対する特異的な発色が得られたが、比較例１８に示すように、０．０５質量％では、マスキング剤がアスベストに対する特異的な発色を阻害した。また、ＥＤＤＳを用いた場合、実施例８８に示すように、０．００００３質量％以上であればアスベストに対する特異的な発色が得られたが、比較例１９に示すように、０．０５質量％では、マスキング剤がアスベストに対する特異的な発色を阻害した。
【０１６９】
また、実施例６５〜７２で示すように、マスキング剤としてＣｙＤＴＡおよびＥＤＤＳの両方を用いた場合においても、アスベストに対する特異的な発色が得られた。
【０１７０】
なお、比較例１２に示すように、アスベスト検出剤は、マスキング剤として脂肪族ヒドロキシカルボン酸系のキレート剤またはアミノカルボン酸系マスキング剤以外を使用した場合、アスベストに対する特異的な発色を示さなかった。
【０１７１】
また、実施例３２に示すように、マスキング剤の濃度が０．２質量％であれば、溶解性は良好であったが、実施例２６、２７および９２に示すように、マスキング剤の濃度を０．３質量％または２質量％まで上昇させた場合には溶解性が「△」となった。なお、実施例２６、２７および９２について、アスベストに対する特異的な発色には問題なかった。
【０１７２】
また、実施例２８および９３に示すように、マスキング剤の濃度をさらに５質量％まで上昇させた場合、溶解性は「×」と評価された。また、アスベストに対する特異的な発色は見られたが、不溶化したマスキング剤に由来する粉末も残っていた。
【０１７３】
次に、実施例２１〜２３においてｐＨ緩衝液の濃度および種類をそれぞれ変更したが、いずれの条件においてもアスベスト特異的な発色が見られた。
【０１７４】
次に、図１８に示すように、感度向上剤を添加しなかった実施例９７では、サイディング材ではアスベストに対する特異的な発色が見られたが、浸漬式における石膏ボードではアスベストおよびロックウールのいずれに対しても発色が得られなかった。一方、感度向上剤を０．００１質量％含んでいる実施例９８では、石膏ボードについてもアスベスト特異的な発色がわずかに得られたため、「△」となった。また、実施例２５に示すように、感度向上剤はブチルグリコールに限られず、ヘキシルジグリコールを含んでいても、アスベストに対して特異的な発色が得られた。
【０１７５】
次に、図６、図１３、図１８および図２０に示すように、比較例８〜１１、２０、２１、２３および２４はいずれも本発明の範囲に含まれない発色剤を用いており、比較例８および２０ではクリソタイル以外のアスベストに対して発色が得られなかった。またこれらはクリソタイルに対しても、発色はわずかだった。また、比較例９〜１１ではアスベストに対する特異的な発色が得られなかった。また、比較例２１ではロックウールにも発色を示し、アスベストに対する特異的な発色が得られなかった。
【０１７６】
発色剤の濃度について、比較例２２に示すように、発色剤の濃度が１０質量％以上である場合には、発色剤自体が非特異的に発色してしまうため、アスベストに対する特異的な発色が得られなかった。一方、実施例５４〜５６および８７に示すように、発色剤の濃度が０．２質量％以上２質量％以下であれば、アスベストに対する特異的な発色が良好に得られた。また、本発明の一実施例に係る種々の酸化防止剤を含む実施例５４〜１０５についても、アスベストに対する特異的な発色が得られた。
【０１７７】
これらの結果から、アスベスト検出剤は、本発明の範囲に含まれる発色剤が含まれていることで、アスベストに対する特異的な発色が得られることが示された。また、アスベスト検出剤には、マスキング剤、感度向上剤、酸化防止剤および／またはｐＨ緩衝液がさらに含まれることが好ましいことが示された。
【産業上の利用可能性】
【０１７８】
本発明は、建材等に含まれるアスベストの調査に利用することができる。
【図１】
2020165973.tif 000029
【図２】
2020165973.tif 000030
【図３】
2020165973.tif 000031
【図４】
2020165973.tif 000032
【図５】
2020165973.tif 000033
【図６】
2020165973.tif 000034
【図７】
2020165973.tif 000035
【図８】
2020165973.tif 000036
【図９】
2020165973.tif 000037
【図１０】
2020165973.tif 000038
【図１１】
2020165973.tif 000039
【図１２】
2020165973.tif 000040
【図１３】
2020165973.tif 000041
【図１４】
2020165973.tif 000042
【図１５】
2020165973.tif 000043
【図１６】
2020165973.tif 000044
【図１７】
2020165973.tif 000045
【図１８】
2020165973.tif 000046
【図１９】
2020165973.tif 000047
【図２０】
2020165973.tif 000048
【図２１】
2020165973.tif 000049
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
下記式（Ｉ）、下記式（ＩＩ）、下記式（ＩＩＩ）、下記式（ＩＶ）および下記式（Ｖ）によって示される化合物の塩からなる群から選択される何れか１つ以上を含む、アスベスト検出剤；
【化１】
2020165973.tif 000050
［式（Ｉ）中、Ｒ１からＲ３はそれぞれ独立に、水素、アルキル基またはヒドロキシアルキル基である］、
【化２】
2020165973.tif 000051
［式（ＩＩ）中、Ｒ１からＲ４はそれぞれ独立に、水素、アルキル基、ヒドロキシアルキル基またはイミノ基である］、
【化３】
2020165973.tif 000052
［式（ＩＩＩ）中、Ｒ１からＲ８はそれぞれ独立に、水素、アルキル基、アミノ基、ヒドロキシアルキル基またはアルコキシ基である］、
【化４】
2020165973.tif 000053
［式（ＩＶ）中、Ｒ１からＲ８はそれぞれ独立に、水素、アルキル基、アミノ基、ヒドロキシアルキル基またはアルコキシ基である］、
【化５】
2020165973.tif 000054
［式（Ｖ）中、Ｒ１からＲ５はそれぞれ独立に、水素、アルキル基またはヒドロキシアルキル基またはアルキル基である］。
【請求項２】
前記式（Ｉ）によって示される化合物は、前記式（Ｉ）中、Ｒ１からＲ３はそれぞれ独立に、水素、炭素数４以下のアルキル基または炭素数２以下のヒドロキシアルキル基であり、
前記式（ＩＩ）によって示される化合物は、前記式（ＩＩ）中、Ｒ１からＲ４はそれぞれ独立に、水素、炭素数４以下のアルキル基、炭素数２以下のヒドロキシアルキル基またはイミノ基であり、
前記式（ＩＩＩ）によって示される化合物は、前記式（ＩＩＩ）中、Ｒ１からＲ８はそれぞれ独立に、水素、炭素数４以下のアルキル基、アミノ基、炭素数２以下のヒドロキシアルキル基または炭素数２以下のアルコキシ基であり、
前記式（ＩＶ）によって示される化合物は、前記式（ＩＶ）中、Ｒ１からＲ８はそれぞれ独立に、水素、炭素数４以下のアルキル基、アミノ基、炭素数２以下のヒドロキシアルキル基または炭素数２以下のアルコキシ基であり、
前記式（Ｖ）によって示される化合物は、前記式（Ｖ）中、Ｒ１からＲ５はそれぞれ独立に、水素、炭素数４以下のアルキル基または炭素数２以下のヒドロキシアルキル基である、請求項１に記載のアスベスト検出剤。
【請求項３】
前記式（Ｉ）によって示される化合物は、前記式（Ｉ）中、Ｒ１からＲ３はそれぞれ独立に、水素、直鎖アルキル基またはヒドロキシアルキル基であり、
前記式（ＩＩ）によって示される化合物は、前記式（ＩＩ）中、Ｒ１からＲ４はそれぞれ独立に、水素、直鎖アルキル基、ヒドロキシアルキル基またはイミノ基であり、
前記式（ＩＩＩ）によって示される化合物は、前記式（ＩＩＩ）中、Ｒ１からＲ８はそれぞれ独立に、水素、直鎖アルキル基、アミノ基、ヒドロキシアルキル基またはアルコキシ基であり、
前記式（ＩＶ）によって示される化合物は、前記式（ＩＶ）中、Ｒ１からＲ８はそれぞれ独立に、水素、直鎖アルキル基、アミノ基、ヒドロキシアルキル基またはアルコキシ基であり、
前記式（Ｖ）によって示される化合物は、前記式（Ｖ）中、Ｒ１からＲ５はそれぞれ独立に、水素、直鎖アルキル基またはヒドロキシアルキル基である、請求項１または２に記載のアスベスト検出剤。
【請求項４】
請求項１から３の何れか１項に記載のアスベスト検出剤を含む、アスベスト検出キット。
【請求項５】
請求項１から３の何れか１項に記載のアスベスト検出剤と、被験物質とを接触する工程と、
前記アスベスト検出剤が発色したか否かを判定する工程と、を含む、アスベスト検出方法。
【手続補正２】
【補正対象書類名】明細書
【補正対象項目名】００１９
【補正方法】変更
【補正の内容】
【００１９】
【化５】
2020165973.tif 000055
【手続補正３】
【補正対象書類名】明細書
【補正対象項目名】００４９
【補正方法】変更
【補正の内容】
【００４９】
【化１１】
2020165973.tif 000056
【手続補正４】
【補正対象書類名】明細書
【補正対象項目名】０１２４
【補正方法】変更
【補正の内容】
【０１２４】
【化１８】
2020165973.tif 000057
【手続補正書】
【提出日】令和2年8月19日(2020.8.19)
【手続補正１】
【補正対象書類名】手続補正書
【補正対象項目名】手続補正５
【補正方法】削除
【補正の内容】